(57)【要約】      （修正有）【課題】ビート材の熱膨張や熱収縮により上枠側、下枠側及び左右支柱側の四辺のガラス嵌合溝から後付けビートが飛び出たりしない手摺りのガラス板取付構造を提供する。【解決手段】ガラス取付枠の上枠側、下枠側及び左右支柱側ガラス嵌合溝７，８の夫々室外側に先付けビート１０，１０を取り付け、これら先付けビートにガラス板６の室外側面周縁部を当て付けた状態でガラス板６をガラス嵌合溝７，８に嵌合し、上枠側、下枠側及び左右支柱側ガラス嵌合溝７，８の夫々室内側には、上枠用ビート取付枠１２、下枠用ビート取付枠１３及び左右支柱用ビート取付枠１４に夫々取り付けられた後付けビート１５・・・を挿入し、後付けビート１５・・・をガラス板６の室内側面周縁部に押し付けた状態で、ビート取付枠１２，１３，１４を上枠３、下枠４及び左右支柱２の所要部に夫々取り付け固定する。【選択図】図２
2013234442.tif 000002
【特許請求の範囲】
【請求項１】
支柱と上枠と下枠とで手摺り枠体を形成し、手摺り枠体の左右に対向する支柱と上下枠とからなる各ガラス取付枠の内周側に形成されるガラス嵌合溝にガラス板を嵌装してなる手摺りのガラス板取付構造であって、各ガラス取付枠の上枠側、下枠側及び左右支柱側ガラス嵌合溝の夫々室外側に先付けビートを取り付け、これら先付けビートにガラス板の室外側面周縁部を当て付けた状態でガラス板をガラス嵌合溝に嵌合し、上枠側、下枠側及び左右支柱側ガラス嵌合溝の夫々室内側には、上枠用ビート取付枠、下枠用ビート取付枠及び左右支柱用ビート取付枠に夫々取り付けられた後付けビートを挿入して、これら後付けビートをガラス板の室内側面周縁部に押し付けた状態で、これらビート取付枠を上枠、下枠及び左右支柱の所要部に夫々取り付け固定してなる手摺りのガラス板取付構造。
【請求項２】
前記上枠用ビート取付枠、下枠用ビート取付枠、及び左右各支柱用ビート取付枠は、ビスによって上枠、下枠及び左右各支柱の所要部に夫々取付け固定するようにした請求項１に記載の手摺りのガラス板取付構造。
【請求項３】
前記上枠用ビート取付枠、下枠用ビート取付枠、及び左右各支柱用ビート取付枠は、夫々に形成された取付用係嵌部を、上枠、下枠及び左右各支柱の被係嵌部に夫々係嵌させることによって取付け固定するようにした請求項１に記載の手摺りのガラス板取付構造。
【発明の詳細な説明】
【技術分野】
【０００１】
本発明は、建物のベランダ等の室外側端部に設置される手摺りに関するもので、特に、堰壁上に一定間隔をおいて立設される支柱と、これら支柱の上端部をつなぐ上枠と、支柱の下端部をつなぐ下枠とによって矩形状の手摺り本体を形成し、この手摺り枠体の左右に対向する支柱と上下枠とからなる各ガラス取付枠の内周側に形成されるガラス嵌合溝に、ガラスを嵌装するようにした手摺りのガラス板取付構造に関する。
【背景技術】
【０００２】
この種の手摺りのガラス板取付構造では、各ガラス取付枠の上枠側、下枠側及び左右支柱側の四辺のガラス嵌合溝の夫々室外側に先付けビートを取り付け、これら先付けビートにガラス板の室外側面周縁部を当て付けた状態でガラス板をガラス嵌合溝に嵌合し、この状態で、上枠側、下枠側及び左右支柱側ガラス嵌合溝の室内側には、一本の長い後付け用ビート材を、上枠側、下枠側及び左右支柱側の四辺のガラス嵌合溝全体に連続してわたるように押し込み、隅角部では、ビート材を直角に折り曲げてその折り曲げ部の外隅部分を一部カットすることにより、隅角部もビート材が的確にガラス嵌合溝に嵌まり込むように取り付け、そしてビート材の両端部は何れかの辺のガラス嵌合溝内で突き合わせるようにしている。図６は、従来のガラス板取付構造の一部を示したもので、４１はガラス取付枠４２の下枠、４３は下枠４２のガラス嵌合溝、４４は下枠側先付けビート、４５はガラス板、４６はセッティングブロックであり、４７は下枠側ガラス嵌合溝３３の室内側に押し込まれた後付け用ビート部分を示す。
【発明の概要】
【発明が解決しようとする課題】
【０００３】
上記従来のガラス板取付構造によれば、冬季のように気温が低くなると、ビート材が収縮することから、先付けビートは、上枠側、下枠側及び左右支柱側の四辺のガラス嵌合溝の夫々室外側に四辺ごとに独立して取り付けてあるため、問題ないのであるが、後付け用ビート材は、四辺のガラス嵌合溝全体にぐるっと回してあるから、ビート材の収縮作用でビート材の隅角部分が円弧状となってガラス嵌合溝の隅角部から飛び出てしまい、また夏季のように気温が高くなると、ビート材の熱膨張により、四辺のガラス嵌合溝の何れかの部分から突き出てしまう、という問題があった。更に従来のガラス板取付構造の場合は、一本の長い後付け用ビート材を上枠側、下枠側及び左右支柱側の四辺のガラス嵌合溝全体に押し込む作業が非常に困難で、その作業には相当な熟練が必要であった。
【０００４】
本発明は、上記の事情に鑑み、ビート材の熱膨張や熱収縮によって上枠側、下枠側及び左右支柱側の四辺のガラス嵌合溝から後付けビートが飛び出たり、突き出たりすることがなく、またそのガラス嵌合溝への後付けビートの嵌め込み作業に熟練を要することなく、容易に嵌め込み作業が行なえる手摺りのガラス板取付構造を提供することを目的としている。
【課題を解決するための手段】
【０００５】
上記課題を解決するための手段を、後述する実施形態の参照符号を付して説明すると、請求項１に係る発明は、支柱２と上枠３と下枠４とで手摺り枠体１を形成し、手摺り枠体１の左右に対向する支柱２，２と上下枠３，４とからなる各ガラス取付枠５の内周側に形成されるガラス嵌合溝７，８，９，９にガラス板６を嵌装してなる手摺りのガラス板取付構造であって、各ガラス取付枠５の上枠側、下枠側及び左右支柱側ガラス嵌合溝７，８，９，９の夫々室外側に先付けビート１０，１０，１１，１１を取り付け、これら先付けビート１０，１０，１１，１１にガラス板６の室外側面周縁部を当て付けた状態でガラス板６をガラス嵌合溝７，８，９，９に嵌合し、上枠側、下枠側及び左右支柱側ガラス嵌合溝７，８，９，９の夫々室内側には、上枠用ビート取付枠１２、下枠用ビート取付枠１３、及び左右支柱用ビート取付枠１４，１４に夫々取り付けられた後付けビート１５・・・を挿入して、これら後付けビート１５・・・をガラス板６の室内側面周縁部に押し付けた状態で、これらビート取付枠１２，１３，１４，１４を上枠３、下枠４及び左右支柱２，２の所要部に夫々取り付け固定してなることを特徴とする。
【０００６】
請求項２は、請求項１に記載の手摺りのガラス板取付構造において、前記上枠用ビート取付枠１２、下枠用ビート取付枠１３、及び左右各支柱用ビート取付枠１４は、ビス２０によって上枠３、下枠４及び左右各支柱２の所要部に夫々取付け固定するようにしたことを特徴とする。
【０００７】
請求項３は、請求項１に記載の手摺りのガラス板取付構造において、前記上枠用ビート取付枠１２、下枠用ビート取付枠１３、及び左右各支柱用ビート取付枠１４は、夫々に形成された取付用係嵌部を、上枠３、下枠４及び左右各支柱２の被係嵌部４０ａに夫々係嵌させることによって取付け固定するようにしたことを特徴とする。
【発明の効果】
【０００８】
上記解決手段による発明の効果を、後述する実施形態の参照符号を付して説明すると、請求項１に係る発明のガラス板取付構造によれば、ガラス取付枠５の上枠側、下枠側及び左右支柱側ガラス嵌合溝７，８，９，９の夫々室外側に取り付けてある先付けビート１０，１０，１１，１１にガラス板６の室外側面周縁部を当て付けた状態でガラス板６をガラス嵌合溝７，８，９，９に嵌合し、上枠側、下枠側及び左右支柱側ガラス嵌合溝７，８，９，９の夫々室内側に、ビート取付枠１２，１３，１４，１４の後付けビート１５・・・を挿入して、これら後付けビート１５・・・をガラス板６の室内側面周縁部に押し付けた状態で、ビート取付枠１２，１３，１４，１４を上枠３、下枠４及び左右支柱２，２の所要部に夫々ビス２０止めするだけで、ガラス板６をガラス取付枠５のガラス嵌合溝７，８，９，９内に確実に固定することができ、従ってガラス板６の取付作業は熟練を要することなく、容易に取付作業を行なうことができる。
【０００９】
特にこの発明では、上枠用ビート取付枠１２、下枠用ビート取付枠１３、及び左右支柱用ビート取付枠１４を備えて、これらビート取付枠１２，１３，１４に夫々後付けビート１５を予め取り付けておき、そしてこれらビート取付枠１２，１３，１４をガラス取付枠５の上枠３、下枠４及び左右支柱２の所要部に夫々取付固定するようにしたもので、後付けビート１５が上枠３側、下枠４側及び左右支柱２，２側の四辺のガラス嵌合溝７，８，９，９の各辺ごとに独立しているため、後付けビート１５が熱膨張したり熱収縮しても、その膨張や収縮を各ビート取付枠１２，１３，１４によって吸収でき、従って上枠３側、下枠４側及び左右支柱２，２側の四辺のガラス嵌合溝７，８，９，９から後付けビートが飛び出たり、突き出るようなことがなくなる。
【００１０】
請求項２に係る発明によれば、上枠用ビート取付枠１２、下枠用ビート取付枠１３及び左右各支柱用ビート取付枠１４を、夫々ビス２０で上枠３、下枠４及び左右各支柱２に固定するようにしているから、これらビート取付枠１２，１３，１４を上枠３、下枠４及び左右各支柱２の夫々所要部に的確に強固に固定することができる。
【００１１】
請求項３に係る発明によれば、上枠用ビート取付枠１２、下枠用ビート取付枠１３及び左右支柱用ビート取付枠１４は、夫々に形成された取付用係嵌部３９を、上枠３、下枠４及び左右各支柱２に設けられた被係嵌部４０ａに夫々係嵌させることによって、上枠３、下枠４及び左右各支柱２に取付け固定されるから、ビート取付枠１２，１３，１４を上枠３、下枠４及び左右支柱２の夫々所要部に簡単容易に固定することができる。
【図面の簡単な説明】
【００１２】
【図１】本発明に係る手摺りのガラス板取付構造を有する手摺りの正面図である。
【図２】図１のＸ−Ｘ線拡大断面図である。
【図３】図１のＹ−Ｙ線拡大断面図である。
【図４】(a) はビート取付枠とこれに取り付けた後付けビートの拡大端面図、(b) は他のビート取付枠とこれに取り付けた後付けビートの拡大端面図である。
【図５】本発明に係る手摺りのガラス板取付構造の他の実施形態の断面図である。
【図６】従来の手摺りのガラス板取付構造を示す断面図である。
【発明を実施するための形態】
【００１３】
以下に本発明の好適な一実施形態を図面に基づいて説明すると、図１に示される手摺りは、ベランダの堰壁Ｓ上にその長手方向一定間隔おきに立設される支柱２と、これら支柱２の上端部をつなぐ上枠３と、支柱２の下端部をつなぐ下枠４とによって手摺り枠体１を形成し、この手摺り枠体１の左右に対向する支柱２，２と上下枠３，４とからなる各ガラス取付枠５の内周側に形成されるガラス嵌合溝７，８，９にガラス板６を嵌装してなるものである。
【００１４】
図２及び図３に示すように、各ガラス取付枠５の上枠３側、下枠４側及び左右支柱２側ガラス嵌合溝７，８，９の夫々室外側にゴム製の先付けビート１０，１１が取り付けられ、これら先付けビート１０，１１にガラス板６の室外側面周縁部を当て付けた状態でガラス板６がガラス嵌合溝７，８，９に嵌合され、そして上枠側、下枠側及び左右支柱側ガラス嵌合溝７，８，９の夫々室内側には、上枠用ビート取付枠１２、下枠用ビート取付枠１３、及び左右各支柱用ビート取付枠１４に夫々取り付けられたゴム製の後付けビート１５が挿入され、これらの後付けビート１５がガラス板６の室内側面周縁部に押し付けられた状態で、ビート取付枠１２，１３，１４が上枠３、下枠４及び左右各支柱２の所要部に夫々取り付け固定されている。
【００１５】
上記手摺りのガラス板取付構造について更に詳しく説明すれば、各ガラス取付枠５の各支柱２は、アルミ押出形材からなるもので、支柱本体１６と、この支柱本体１６の室外側面に一体に突設された目地枠１７とで構成され、目地枠１７は、基台部１７ａと、この基台部１７ａの幅方向中央部に突設された突条壁１７ｂと、この突条壁１７ｂの先端部に断面略Ｔ字状を成すように突設された化粧縁１７ｃとからなる。目地枠１７の突条壁１７ｂを挟んでその両側に前記ガラス嵌合溝９，９が形成され、各ガラス嵌合溝９の室外側に位置する化粧縁１７ｃの内側面に前記先付けビート１１が装着されている。そして、各ガラス嵌合溝９の室内側には、基台部１７ａの左右各側面にビス２０止めされる支柱用ビート取付枠１４に取り付けた支柱側後付けビート１５が挿入されるようになっている。
【００１６】
上枠３は、図２に示すように、室外側端部にガラス嵌合溝７を形成し、支柱本体８の上端面にビス２１止めされる取付基枠１８と、この取付基枠１８を被うように被嵌される笠木部材１９とからなるもので、この取付基枠１８及び笠木部材１９は夫々アルミ押出形材で形成される。尚、取付基枠１８を支柱本体８の上端面に固定するビス２１は、前記支柱本体１６内のビスホール１６ａ（図３参照）にねじ込まれる。取付基枠１８のガラス嵌合溝７の室外側端部には上枠側先付けビート１０が取り付けられている。そして、ガラス嵌合溝７の室内側には、図２に示すように取付基枠１８の下面側にビス２０止めされる上枠用ビート取付枠１２に取り付けた後付けビート１５が挿入されるようになっている。尚、笠木部材１９は、その室外側係止部１９ａを取付基枠１８の係止部１８ａに係止させ、室内側係止部１９ｂを取付基枠１８の室内側係止部１８ｂに係止させることによって、取付基枠１８を被うように被嵌される。
【００１７】
下枠４は、図２及び図３に示すような矩形枠状のアルミ押出形材からなるもので、左右に対向する支柱２，２の目地枠１７，１７間に介挿されて、支柱本体１６にビス２２止めされるようになっている。この下枠４の内底部にセッティングブロック（スペーサ）２３が設けられ、このセッティングブロック２３の上部側に下枠側ガラス嵌合溝８が形成され、このガラス嵌合部８の室外側に下枠側先付けビート１０が取り付けられている。この下枠側ガラス嵌合溝８の室内側には、図２に示すように下枠４上面の室内側にビス２０止めされる下枠側後付けビート１５が挿入されるようになっている。
【００１８】
支柱本体１６の目地枠１７は、ガラス取付枠５の下枠４の端部４ａが位置する部分より下方が支柱本体１６から切除されていて、この下方部分が切除された目地枠１７の下端側に接するように、左右に隣り合うガラス取付枠５，５の双方の下枠４，４の対向端部４ａ，４ａが突き合わされ、この突き合わさった両下枠４，４の対向端部４ａ，４ａの間隙２５を覆い隠す化粧カバー２６が、両下枠４，４の対向端部４ａ，４ａにわたって設けられている。化粧カバー２６は、両下枠４，４の対向端部４ａ，４ａの室外側面を覆う正面板部２６ａと、前記対向端部４ａ，４ａの底面を覆う下板部２６ｂとによって略Ｌ字状に形成されたカバー本体２６ａｂからなるもので、下板部２６ｂの内側縁部には前記対向端部４ａ，４ａの室内側面にビス２５止めされるビス止め片２６ｃが設けられ、正面板部２６ａの上端部には前記対向端部４ａ，４ａの室外側面上端部に係止される係止縁部２６ｄが設けられている。
【００１９】
上記下枠４を支柱２に取り付けるにあたっては、下枠４の端部４ａの室内側部分を平面視略Ｌ字状に切欠して、その切欠部４ｏを、図３に示すように、支柱本体１６の室外側面及びこれに隣接する横側面部にわたって係合した状態で、図２に示すように、下枠４内の室内側で上下に対向突出する上下フランジ片２７，２８から夫々支柱本体８の室外側面に対してビス２２をねじ込むことにより、下枠４の端部４ａを支柱本体１６に固定する。
【００２０】
図４の(a) は、ビート取付枠１２，１３，１４とこれに取り付けた後付けビート１５の拡大端面図であって、図示のように、後付けビート１５は、ビート本体１５ａと、ビート本体１５ａと一体につながっていて、ビート本体１５ａに対し及び互いに剥ぎ取り可能な複数枚のビート片１５ｂとからなり、ガラス嵌合溝７，８，９への挿入に際しガラス板６の室内側面との間隔寸法に応じて適宜に剥ぎ取るようになっている。因に、図２及び図３では、各後付けビート１５は、ビート片１５ｂが剥ぎ取られて、ビート本体１５ａのみで使用している状態を示す。
【００２１】
また図４の(a) ，(b) において、２９はビート取付枠１２，１３，１４に設けられたビス頭嵌合孔であり、３０はビート本体１５ａとビート片１５ｂとを一体につなぐ剥ぎ取り可能なツナギ部である。また図４の(a) に示すように、ビート取付枠１２，１３，１４の先端部には、ビート本体１５ａに設けられた係嵌用凸部３１及び係嵌用凹部３２に対して互いに係嵌可能な係嵌凹部３３及び係嵌凸部３４が設けてあって、後付けビート１５は、ビート本体１５ａの係嵌用凸部３１及び係嵌用凹部３２を、ビート取付枠１２，１３，１４の係嵌凹部３３及び係嵌凸部３４に対し互いに係嵌させることによって、ビート取付枠１２，１３，１４に取り付けられる。また、図４の(b) に示す後付けビート１５は、ビート本体１５ａ側に係嵌用凸部３５が設けてあって、この係嵌用凸部３５をビート取付枠１２，１３，１４に設けられた係嵌凹部３６に対し係嵌させることによって、ビート取付枠１２，１３，１４に取り付けられる。
【００２２】
次に、上述した手摺りのガラス取付枠５にガラス板６を嵌装する手順について説明すると、このガラス取付枠５へのガラス板６の嵌め込みにあたって、上枠３は、支柱本体８の上端に未だ取り付けていない状態とし、そしてガラス取付枠５の上枠３側、下枠４側及び左右支柱２，２側ガラス嵌合溝７，８，９，９の夫々室外側には先付けビート１０，１１が取り付けられた状態としておく。
【００２３】
しかして、ガラス取付枠５の下枠側ガラス嵌合溝８及び左右支柱側ガラス嵌合溝９，９間に、ガラス板６を、上枠３の取り付けられていないガラス取付枠５に対し、上方より挿入して、下枠側ガラス嵌合溝８内のセッティングブロック２３上に支持する。それから、ガラス取付枠５の上枠３を取り付ける。即ち、上枠３の取付基枠１８を支柱本体８の上端面にビス２１止めして、この取付基枠１８に笠木部材１９を被嵌する。
【００２４】
上記のようにしてガラス取付枠５内のガラス嵌合溝７，８，９，９にガラス板６を嵌挿し、このガラス板６をガラス嵌合溝７，８，９，９の室外側へ寄せた状態にした後、上枠側ガラス嵌合溝７、下枠側ガラス嵌合溝８及び左右支柱側ガラス嵌合溝９，９の夫々室内側に、ビート取付枠１２，１３，１４に夫々取り付けてある上枠用後付けビート１５、下枠用後付けビート１５及び左右支柱用後付けビート１５を順次挿入して、これら後付けビート１５・・・をガラス板６の室内側面周縁部に押し付けた状態で、上枠用ビート取付枠１２を上枠３の取付基枠１８下面にビス２０止めし、下枠用ビート取付枠１３を下枠４の室内側上面にビス２０止めし、支柱用ビート取付枠１４を図３に示すように左右支柱２の目地枠１７の基台部１７ａに夫々ビス２０止めすることにより、ガラス板６の周縁部は、室内側から後付けビート１５，１５，１５，１５で押されて、ガラス嵌合溝７，８，９，９の室外側にある先付けビート１０，１０，１１，１１に押し付けられた状態でガラス嵌合溝７，８，９，９内に確実に保持固定され、図２及び図３に示すようなガラス板取付構造となる。
【００２５】
上述のような本発明に係るガラス板取付構造によれば、ガラス取付枠５の上枠側、下枠側及び左右支柱側ガラス嵌合溝７，８，９，９の夫々室外側に取り付けてある先付けビート１０，１０，１１，１１にガラス板６の室外側面周縁部を当て付けた状態でガラス板６をガラス嵌合溝７，８，９，９に嵌合し、しかして上枠側、下枠側及び左右支柱側ガラス嵌合溝７，８，９，９の夫々室内側に、ビート取付枠１２，１３，１４，１４の後付けビート１５・・・を挿入して、これら後付けビート１５・・・をガラス板６の室内側面周縁部に押し付けた状態で、これらビート取付枠１２，１３，１４，１４を上枠３、下枠４及び左右支柱２，２の所要部に夫々ビス２０止めするだけで、ガラス板６をガラス取付枠５のガラス嵌合溝７，８，９，９内に確実に固定することができ、従ってガラス板６の取付作業は熟練を要することなく、容易に行なうことができる。
【００２６】
そして特に、上枠用ビート取付枠１２、下枠用ビート取付枠１３、及び左右支柱用ビート取付枠１４，１４を設けて、これらビート取付枠１２，１３，１４，１４に夫々後付けビート１５を予め取り付け、これらビート取付枠１２，１３，１４，１４をガラス取付枠５の上枠３、下枠４及び左右支柱２，２の所要部に夫々取付固定するようにしたもので、後付けビート１５が、上枠３側、下枠４側及び左右支柱２，２側の四辺のガラス嵌合溝７，８，９，９の各辺ごとに独立しているため、後付けビート１５が熱膨張したり熱収縮しても、その膨張や収縮を各ビート取付枠１２，１３，１４で吸収することができ、従って上枠３側、下枠４側及び左右支柱２，２側の四辺のガラス嵌合溝７，８，９，９から後付けビートが飛び出たり、突き出るようなことがない。
【００２７】
図２〜図４に示す実施形態のガラス板取付構造では、上枠用ビート取付枠１２、下枠用ビート取付枠１３、及び左右各支柱用ビート取付枠１４を、夫々ビス２０によって上枠３、下枠４及び左右各支柱２に固定するようにしているから、これらビート取付枠１２，１３，１４を上枠３、下枠４及び左右各支柱２の夫々所要部に的確に強固に固定することができる。
【００２８】
図５は上枠３、下枠４及び支柱２に対するビート取付枠１２，１３，１４の取付けを、ビスに代えて、係嵌式で行なう実施形態を示している。即ち、ビート取付枠１２，１３，１４には夫々図５の(b) に示すような取付用係嵌部３７を形成しておいて、この取付用係嵌部３９を上枠３、下枠４及び左右各支柱２の被係嵌部に夫々係嵌させることによって、ビート取付枠１２，１３，１４を上枠３、下枠４及び支柱２に固定するようにしており、この取付用係嵌部３９は、ビート取付枠１２，１３，１４の水平部材３７に対し直交する垂直部材３８側に形成したもので、後付けビート１５の嵌め込み時に水平部材３７と垂直部材３８との内隅部を、ガラス嵌合溝７，８，９の室内側に形成されているリップ溝形部片４０の隅角部４０ｏに係合させた状態で、当該取付用係嵌部３９がリップ溝形部片４０の溝入口部４０ａ（被係嵌部）に係嵌することによって、ビート取付枠１２，１３，１４を上枠３、下枠４及び支柱２に固定することができる。このような取付用係嵌部３７を有するビート取付枠１２，１３，１４によれば、ビート取付枠１２，１３，１４を上枠３、下枠４及び左右支柱２の夫々所要部に簡単容易に固定することができる。
【符号の説明】
【００２９】
１            手摺り枠体
２            支柱
３            上枠
４            下枠
５            ガラス取付枠
６            ガラス板
７            上枠側ガラス嵌合溝
８            下枠側ガラス嵌合溝
９            支柱側ガラス嵌合溝
１０          上枠側及び下枠側先付けビート
１１          支柱側先付けビート
１２          上枠用ビート取付枠
１３          下枠用ビート取付枠
１４          支柱用ビート取付枠
１５          後付けビート
【図１】
2013234442.tif 000003
【図２】
2013234442.tif 000004
【図３】
2013234442.tif 000005
【図４】
2013234442.tif 000006
【図５】
2013234442.tif 000007
【図６】
2013234442.tif 000008